(57)【特許請求の範囲】
【請求項１】
シリンダ錠の主キーガイドの前方に該主キーガイドと共に回動できるようにした副キーガイドを装着し、以て、下記第１及び第２案内孔の長さを充分に大きくし、この副キーガイドは前方側に位置する表層と後方側に位置する基層とを重合固定して構成すると共に、表層は蓄光性成分を含有する高分子材料で形成し、一方、副キーガイドの厚さ方向の前方部に前方を広くした四角錐状の第１案内孔を設けると共に、副キーガイドの後方部に第１案内孔及び主キーガイドの鍵孔に連なる四角柱状の第２案内孔を設け、また、第１案内孔の最後部の横断面形及び第２案内孔の横断面形は共に主キーガイドの鍵孔の正面形に外接する大きさとし、以て、案内孔に斜めに差込まれた合鍵の傾きを規制して鍵孔の中心軸線に一致させるようにしたことを特徴とするシリンダ錠における鍵の差込み案内装置。
【発明の詳細な説明】
【０００１】
【発明の属する技術分野】
この発明は、シリンダ錠における鍵の差込み案内装置の改良に係り、特に、夜間における施解錠操作を容易にした鍵の差込み案内装置に関する。
【０００２】
【従来の技術】
夜間におけるシリンダ錠の施解錠操作は、そもそもシリンダ錠及びその鍵孔を捜し当てることが先ず困難で、かかる困難に対処するため、鍵の摘み内に電池と小型のランプとを組込み、このランプの光により鍵孔を照明するようにしたり、または、例えば実開昭６３−１９８７６０号或いは実開昭６３−１９４０４３号公報に記載されているように、シリンダ錠を内蔵したドアノブ内に照明装置を組込んだものも提案されている。
【０００３】
上記した鍵孔照明装置は、確実に作動して明るく鍵孔を照明できるが、鍵やノブの構造が複雑になり、また、電池や電球の交換が不可欠で、保守管理が必須である。
【０００４】
上記した不都合を解消する為、例えば実開昭５９−１８５３７０号、実開昭５４−７４６９０号或いは特開平８−１８９２３２号公報に記載された発明や考案は、昼間光を吸収して夜暗い時に発光する夜光塗料や蓄光性成分を含有する高分子材料を鍵孔や鍵孔付近に設けることを提案している。
【０００５】
【発明が解決しようとする課題】
しかしながら、かかる提案は鍵孔の照明に電池を用いず、また、保守点検の必要が無い、という利点はあるが、鍵孔内に夜光塗料を塗着した場合使用により夜光塗料が剥離或いは減耗し、直にその機能を失ってしまう、という不都合がある。
【０００６】
一方、蓄光性部材を鍵孔内以外の鍵孔付近に設けた場合には、発光点から鍵孔を臨むことができない為、換言すれば発光点からの光が直接鍵孔に到達できない為、その鍵孔照明効果がはなはだ疑わしい、という不都合がある。
【０００７】
そこで、この発明は、夜間シリンダ錠の所在を明確に顕示すると共に、鍵先を確実にその鍵孔に誘導できるようにしたシリンダ錠における鍵の差込み案内装置を提供することを目的としている。
【０００８】
【課題を解決するための手段】
上記の目的を達成するため、この発明は、シリンダ錠の主キーガイドの前方に該主キーガイドと共に回動できるようにした副キーガイドを装着し、以て、下記第１及び第２案内孔の長さを充分に大きくし、この副キーガイドは前方側に位置する表層と後方側に位置する基層とを重合固定して構成すると共に、表層は蓄光性成分を含有する高分子材料で形成し、一方、副キーガイドの厚さ方向の前方部に前方を広くした四角錐状の第１案内孔を設けると共に、副キーガイドの後方部に第１案内孔及び主キーガイドの鍵孔に連なる四角柱状の第２案内孔を設け、また、第１案内孔の最後部の横断面形及び第２案内孔の横断面形は共に主キーガイドの鍵孔の正面形に外接する大きさとし、以て、案内孔に斜めに差込まれた合鍵の傾きを規制して鍵孔の中心軸線に一致させるようにしたことを特徴とする。
【０００９】
【発明の実施の形態】
以下、図面に示す実施例に基づいて、この発明について説明する。
図１〜図３において、符号１０はドア、２０はドア１０に固定された錠箱、１は錠箱２０に固定ロッド１１等によって固定された取付筒、２は取付筒１に後方から差込まれ、後端をスペーサ３１を介して止め環３２で押え付けられたシリンダ錠の外筒、３３は取付筒１と外筒２との間に嵌め込まれた止めばね、５は外筒２内の内筒６の前端側に一体的に設けられ、外筒２及び取付筒１の前方の開口より突出させた主キーガイド、６１はシリンダ錠の内筒６の後端部に設けられたテイルピースである。
【００１０】
この発明においては、前記の主キーガイド５の前方に共に回動できるようにした副キーガイド７が装着される。副キーガイド７は、前方側に位置する表層７６と後方側に位置する基層７７とから成り、表層７６は蓄光性成分を有する高分子材料で形成してある。
【００１１】
従って、この表層７６は夜間などの暗がりでは昼間において蓄えられた光が発せられることにより明るくなる。
【００１２】
基層７７は真ちゅうその他の金属材料又は強靱にして硬質の合成樹脂材料などで作られるが、基層７７自体には蓄光性成分は施されておらず、基層７７が発光することはない。
【００１３】
前記の表層７６と基層７７とは互に重合固定されているが、その固定手段としては接着、溶着又はねじ止めなど任意の手段を用いることができる。
【００１４】
また、表層７６は基層７７の表面に蓄光成分含有の液状高分子材料（所謂夜光塗料）を塗布し又は噴霧してそれを固化させることによって形成することもできる。
【００１５】
更に、前記した主キーガイド５は横断面外形が円形をなし、その前方の突出部分の回りには、該主キーガイド５より大径の環状をなす副キーガイド７の厚さ方向における後方部が嵌め込まれている。
【００１６】
主キーガイド５の嵌込み部にはその回転中心軸線と平行をなす任意数（図示例では４本）の嵌め溝５１が設けてあり、また、副キーガイド７の嵌込み部にはその回転中心軸線と平行をなす任意数（図示例では４本）の突条７１が一体に設けてある。
【００１７】
主キーガイド５に対する副キーガイド７の装着においては、嵌め溝５１及び突条７１が相互に嵌め込まれているので、両者は一体化されて共に回転できるようにされている。
【００１８】
なお、主キーガイド５と副キーガイド７との間の回り止め手段としての嵌め溝５１及び突条７１に関しては、嵌め溝を副キーガイド７に、また、突条を主キーガイド５に設けるようにしてもよい。
【００１９】
図１及び図２に示すように、この実施例では、副キーガイド７が主キーガイド５に対し軸線方向に抜け出すことを阻止するために、保持筒８が上記の取付筒１の回りに装着してある。
【００２０】
保持筒８は内部材８１と外部材８２とを重合させて成り、その基部はかしめ付け手段８３等で取付筒１に固定してある。
【００２１】
保持筒８における外部材８２の先端部は内方に向け折り曲げられて副キーガイド７の前面部を押さえるためのストッパ部８４に形成してある。
【００２２】
図２において、符号８５は取付筒１の先端面及び保持筒８の先端側内面に囲まれた空間に装着された断面がＬ字状をなす受けリングで、副キーガイド７を支受するためのものであるが、この受けリング８５は必ずしも設けることを要しない。
【００２３】
なお、図１及び図２において、符号９は取付筒１及び保持筒８の嵌め合せ部分の回りに嵌め込まれた外形が円錐台状をなす化粧リングで、この化粧リング９は、取付筒１の回りに嵌め込まれた圧縮ばね９１を長さ方向について保持筒８の基端と化粧リング９のばね受け部９２との間に挟み込むことにより、その基端部をドア１０の表面に弾性的に当接させてある。
【００２４】
前記のような化粧リング９を圧縮ばね９１によりドア１０に弾接させる機構はドアの厚さに相違があってもそれに対応させるためのものである。
【００２５】
副キーガイド７の厚さ方向の前方部には前方を広くした四角錘状の第１案内孔７２を設けると共に、副キーガイド７の後方部には四角柱状の第２案内孔７３を設ける。
【００２６】
その第２案内孔７３は前部において第１案内孔７２に、後部において主キーガイド５の鍵孔５２にそれぞれ連通させてある。
【００２７】
そして、第１案内孔７２の最後部の横断面形及び第２案内孔７３の横断面形はいずれも主キーガイド５の鍵孔５２の正面形にほぼ外接する大きさの矩形に形成してある。
【００２８】
換言すると、主キーガイド５の鍵孔５２の正面形をほぼ過不足なく含む大きさの矩形に形成してある。
【００２９】
更に、前記の第１案内孔７２、第２案内孔７３及び主キーガイド５の鍵孔５２はそれぞれの中心軸線をほぼ一致させるようにして連なっている。
【００３０】
次に、この発明の鍵の差込み案内装置に対し用いられる鍵４の一例について図４及び図８において説明する。
【００３１】
鍵４は後に詳述するように副キーガイド７の第１案内孔７２及び第２案内孔７３を通じて主キーガイド５の鍵孔５２に差込まれるものであるが、図示例の鍵４は、平板状をなすステム部４１の平板面の一面又は両面にかしめ付け等により突設させたストッパとしてのピン状の突起４３を備えている。
【００３２】
この突起４３は、鍵４の差込み時、副キーガイド７における第１案内孔７２から第２案内孔７３に亘る内壁面に該副キーガイド７の中心軸線に沿うようにして設けた逃がし溝７４に嵌まり込み、逃がし溝７４の切り残された末端の当接部７５に衝合して鍵４のシリンダ錠に対する差込み深さ（長さ）を規制する。
【００３３】
前記の逃がし溝７４は図示例のように中心軸線を挟む位置に２つ設けてもよいし、１つだけ設けてもよい。また、逃がし溝７４の末端の当接部（７５）は設けなくてもよく、その場合、鍵４の突起４３は主キーガイド７の前面に衝合させるようにして鍵４の差込み深さを規制する。
【００３４】
但し、前述の突起４３は必須のものではない。突起（４３）を持たない鍵（図示しない）においては、例えば、鍵のつまみ（４２）の前端縁を副キーガイド７における前面又は第１案内孔７２の傾斜面に当接させることによって鍵の差込み深さを規制する。
【００３５】
次に、この発明に係る装置で鍵４をシリンダ錠に差込む作用について、図５〜図８において説明する。
【００３６】
先ず、鍵の差込み型式の別（鍵の平板面を水平にして差込むか、又は鉛直にして差込むかの別）に応じて鍵４を副キーガイド７の第１案内孔７２に差し向け、そのまま押し込むと、鍵先は第１案内孔７２の４つの傾斜面において中心軸線の回りの角度が規制され、次いで、第２案内孔７３において鍵４の中心軸線の傾きが正されて、その中心軸線は鍵孔５２の中心軸線と一致するところとなる。
【００３７】
なお、図７に示すように、第２案内孔７３中心軸線方向の長さは、鍵４の先端の尖り先のそれよりも長い方が望ましい。
【００３８】
ここで、鍵４は鍵孔５２に対する適正な姿勢が副キーガイド７の第２案内孔７３によって保たれるので、後は押し込むだけで済み、鍵４は鍵孔５２に極めてスムーズに差込まれる。
【００３９】
また、夜間など周囲が暗い場合には、副キーガイド７の表層７６の発光により副キーガイド７の存在を視覚を通じて認識でき、表層７６が切除されている第１案内孔７２の開口部分は暗く見えるので、鍵先をその暗い部分に差し向ければよく、後は鍵４を単に押し込むだけで前述と同様に鍵孔５２に対しスムーズに差込むことができる。
【００４０】
この場合、副キーガイド７の表層７６の面積が鍵孔の寸法より大きいことからシリンダ錠の在りかを容易に認識でき、かつ副キーガイド７の第１案内孔７２の開口面積が鍵先の寸法と比較して格段に大きいので、その第１案内孔への鍵先の挿入が極めて容易になる。
【００４１】
【発明の効果】
以上に説明したこの発明のシリンダ錠における鍵の差込み案内装置によれば、夜間など周囲が暗い場合、発光する表層によりシリンダ錠の在りかが先ず顕示される。
【００４２】
また、発光する表層の中央部分は第１案内孔の存在により欠除されており、その部分は表層の他の部分より暗く見えるので、その明暗の差により鍵先を差し向ける第１案内孔の位置を正確に認識でき、鍵先の鍵孔への挿入が極めて容易になる。
【００４３】
更にまた、鍵先を副キーガイドの第１案内孔に差し向け、その後は鍵先で鍵孔を探ったり、鍵先の位置について意識的に微調整したりすることを要せず、単に、鍵を押し込むだけで鍵の正しい差込み姿勢が自動的にとられるので、鍵の差込み操作を極めて楽にするという効果を奏する。
【００４４】
加えて、鍵先の目標を明るく照明するのではなく、発光部の中央を第１案内孔の開口により暗くしてその明暗差により表示するようにしたので、要するに明暗差があれば鍵先の目標を明確に表示することができ、蓄光性部材の性能が経年変化により落ちて暗くなったとしても、その表示性能に変化が無い、等種々の効果を奏する。
【図面の簡単な説明】
【図１】この発明のシリンダ錠における鍵の差込み案内装置の実施例を示す正面図。
【図２】その部分縦断側面図。
【図３】図１の実施例から取り外した副キーガイドの図で、（Ａ）は正面図、（Ｂ）は背面図、（Ｃ）は縦断平面図。
【図４】図１の実施例に対し用いられる鍵の一例を示す図で、（Ａ）は平面図、（Ｂ）は一部を断面にして示す側面図。
【図５】図１の実施例に対し鍵を差込む第１段階を示す部分縦断側面図。
【図６】同じく鍵の差込みの第２段階を平面的に示す説明図。
【図７】同じく鍵の差込みの第３段階を平面的に示す説明図。
【図８】同じく鍵の差込みの最終段階を示す部分縦断側面図。
【符号の説明】
５  主キーガイド
５２  鍵孔
７  副キーガイド
７２  第１案内孔
７３  第２案内孔
７６  表層
７７  基層
【図１】
0004024337.tif 000002
【図２】
0004024337.tif 000003
【図３】
0004024337.tif 000004
【図４】
0004024337.tif 000005
【図５】
0004024337.tif 000006
【図６】
0004024337.tif 000007
【図７】
0004024337.tif 000008
【図８】
0004024337.tif 000009